(57)【要約】【課題】簡単な構成で、被支持体を持ち上げることなく、被支持体の高さを微調整することが出来、操作部を後方に押すことで脚部を上下に大きく動かして調整することが出来、操作性が良好である高さ調整装置及びこれを備える投射型画像表示装置を提供する。【解決手段】アジャスタは、脚部５、投射型画像表示装置の本体に取り付けられる第１ケース６、第１ケース６に内設される第２ケース７、回転板８１を有する操作部８、及び板ばね部９２を有するカバー部９を備える。雄ねじ１０は、脚部５の雌ねじに螺合されている。雄ねじ１０が、ギア８３等を介し回転板８１の回転を伝達され、回転することにより、脚部５は、摺動板部が第１ケース６の摺動孔６２ａを摺動する状態で、昇降する。【選択図】図３
2007315435.tif 000002
【特許請求の範囲】
【請求項１】
被支持体に取付けられる取付部と、該取付部に対し摺動して前記被支持体から出没する脚部とを備え、前記脚部の出没を調整して前記被支持体の高さを調整する高さ調整装置において、
前記脚部は、内面に雌ねじが設けられた丸溝を有し、
前記取付部は、前記雌ねじに螺合される雄ねじを軸支しており、
歯車を介して前記雄ねじを回転させるための操作部と、
前記雄ねじを前記雌ねじに押し付ける方向に付勢する弾性部材と
を備え、
前記雄ねじが前記雌ねじに螺合され、回転することにより前記脚部が出没し、
前記操作部を、前記弾性部材に抗して、前記雄ねじが前記雌ねじに螺合される側と反対側に押すことで、螺合が解除されるように構成されていることを特徴とする高さ調整装置。
【請求項２】
前記操作部は、側面を回転させる回転板と、該回転板の中央部に突設された軸部と、該軸部に設けられた歯車とを有し、
前記脚部は角柱状であり、前記丸溝の幅方向の両端側の側面が摺動板部として構成され、
前記取付部は、
内部を前記摺動板部が摺動する摺動孔を有する第１ケースと、
前記雄ねじを軸支し、前記摺動孔に対向して配され、前記軸部を支持して前記歯車を含む複数の歯車を内蔵し、前記回転板が配される側と反対側の前記第１ケースの端部に、軸支されている第２ケースと
を備える請求項１に記載の高さ調整装置。
【請求項３】
前記弾性部材は、前記第２ケースの前記雄ねじが配される側と反対側に設けられた板ばねである請求項２に記載の高さ調整装置。
【請求項４】
前記操作部はレバーを備え、
該レバーにはラックが連設され、該レバーの上下動が該ラック及び該ラックに噛合されたピニオンを含む歯車を介して前記雄ねじに伝達され、
前記脚部は角柱状であり、前記丸溝の幅方向の両端側の側面が摺動板部として構成され、
前記取付部は、
内部を前記摺動板部が摺動する摺動孔を有する第１ケースと、
前記雄ねじを軸支し、前記摺動孔に対向して配され、前記歯車を内蔵し、前記レバーが配される側と反対側の前記第１ケースの端部に軸支されている第２ケースと
を備える請求項１に記載の高さ調整装置。
【請求項５】
請求項１乃至４のいずれかに記載の高さ調整装置と、
発光体を有する光源装置、該発光体から発せられる光で画像に係る変調光を生成する空間光変調素子、及び該空間光変調素子が生成した変調光を被投影体へ投影する投影レンズを有するケースと
を備え、
脚部を出没させることにより、前記ケースの高さを調整する投射型画像表示装置。
【発明の詳細な説明】
【技術分野】
【０００１】
本発明は、投射型画像表示装置等の電子機器の高さを調節する高さ調整装置、及び該高さ調整装置を備える投射型画像表示装置に関する。
【背景技術】
【０００２】
従来、投射型画像表示装置等の電子機器を床やテーブル等に配置する場合、電子機器が所定の姿勢を保持するために、電子機器の高さ及び傾きを調節することが多い。
【０００３】
そこで、容易に電子機器の高さの調整を行なうことが出来るように、電子機器に、調整脚を有する高さ調整装置（アジャスタ）を設けたものが知られている。
特許文献１には、ケースの天面に設けられたアジャスタボタンの押下げ操作により底面から脚部が出没するアジャスタをケースの前方略中央部に備え、アジャスタボタンに親指を当てた場合に少なくとも親指以外の数本の指が掛かる指当部を備える投射型画像表示装置の発明が開示されている。この指当部に指を掛けることにより、投射型画像表示装置を片手で安定して把持した状態で、確実にケースの高さ及び角度を調整することが出来る。
【０００４】
特許文献２には、ピストン収容室を有する外装ケース、ピストン収容室に摺動自在に挿入されたピストン部とフット部とを有し、外周面の長さ方向に凹凸部を有する脚部、脚部を下方に付勢する弾性部材、凹凸部に係合する雌ねじを有し脚部に着脱自在なストッパ部、ストッパ部を脚部に当接する方向に付勢する弾性部材、及び上下動する操作レバーを備える投射型画像表示装置の発明が開示されている。
【０００５】
特許文献３には、被支持体に取り付けられるケース体と、一端部がケース体に進退自在に設置され、他端の自由端部を接地させて被支持体を支持する支持部と、支持部の進退動作を規制するロック手段と、ロック手段のロック状態を維持するばねと、ロック手段のロック状態を解除する操作ボタンとを備え、支持部をケース体に対して進退させて支持部の自由端部と被支持体との距離を任意に設定可能とした投射型画像表示装置の発明が開示されている。
【特許文献１】特開２００４−５４０３９号公報
【特許文献２】特開２００４−５２９４３号公報
【特許文献３】特開２００６−９８１２号公報
【発明の開示】
【発明が解決しようとする課題】
【０００６】
従来の投射型画像表示装置に適用される高さ調整装置としては、投射型画像表示装置のケースに取り付けられた取付部に、爪により脚部を係止させることで、脚部の長さを調整し、ケースの高さを調整するものがあった。しかし、この場合、爪の設置位置等により段階的にしか高さ調整を行うことが出来ないという問題があり、爪を外すとき等に、投射型画像表示装置を持ち上げる必要があり、ケースと脚部との間に指を挟むこともあり、操作性が悪いという問題があった。
また、ねじを回すことによって、脚部を取付部に対し昇降させるものもあり、この場合、脚部の長さを無段階に変えることが出来るが、ねじを回す量が多く、操作が煩雑であり、投射型画像表示装置を持ち上げる必要もあるという問題があった。
特許文献１乃至３の場合、脚部の長さを無段階で調整することが出来るが、微調整がしにくいという問題がある。
【０００７】
本発明は、斯かる事情に鑑みてなされたものであり、内面に雌ねじが設けられた丸溝を有する脚部と、雌ねじに螺合される雄ねじを軸支した取付部と、雄ねじを歯車を介して回転させるための操作部と、雄ねじを雌ねじに押し付ける方向に付勢する弾性部材とを備えることにより、簡単な構成で、被支持体を持ち上げることなく、被支持体の高さを微調整することが出来、操作部を、雄ねじが雌ねじに螺合される側と反対側に押すことで、螺合が解除され、脚部を上下に大きく動かして調整することが出来、操作性が良好である高さ調整装置を提供することを目的とする。
【０００８】
また、本発明は、操作部が回転板を有し、脚部が、丸溝の幅方向の両端側に摺動板部を有しており、取付部が、内部を摺動板部が摺動する摺動孔を有する第１ケースと、雄ねじを軸支し、摺動孔に対向して配され、回転板が配される側と反対側の前記第１ケースの端部に、回転可能に軸支されている第２ケースとを有することにより、回転板を回転させることで、スムースに、脚部を動かすことが出来、回転板を後方へ押すことで、第２ケースが第１ケースに対して回転し、雄ねじの雌ねじへの螺合が容易に解除されて、脚部を取付部に対し大きく上下動させることが出来、回転板を押すのを止めることで、弾性部材により雄ねじが押し戻されて、確実に雌ねじに螺合され、脚部の取付部への固定が復帰する高さ調整装置を提供することを目的とする。
【０００９】
そして、本発明は、内面に雌ねじが設けられた丸溝を有する脚部と、雌ねじに螺合される雄ねじを軸支した取付部と、雄ねじを歯車を介して回転させるための操作部と、雄ねじを雌ねじに押し付ける方向に付勢する弾性部材とを有する高さ調整装置を備えることにより、簡単な構成で持ち上げることなく、高さ及び傾きを微調整することが出来、操作部を、後方に押すことで、螺合が解除され、脚部を上下に大きく動かして高さ及び傾きを大きく調整することが出来、操作性が良好である投射型画像表示装置を提供することを目的とする。
【課題を解決するための手段】
【００１０】
本発明に係る高さ調整装置は、被支持体に取付けられる取付部と、該取付部に対し摺動して前記被支持体から出没する脚部とを備え、前記脚部の出没を調整して前記被支持体の高さを調整する高さ調整装置において、前記脚部は、内面に雌ねじが設けられた丸溝を有し、前記取付部は、前記雌ねじに螺合される雄ねじを軸支しており、歯車を介して前記雄ねじを回転させるための操作部と、前記雄ねじを前記雌ねじに押し付ける方向に付勢する弾性部材とを備え、前記雄ねじが前記雌ねじに螺合され、回転することにより前記脚部が出没し、前記操作部を、前記弾性部材に抗して、前記雄ねじが前記雌ねじに螺合される側と反対側に押すことで、螺合が解除されるように構成されていることを特徴とする。
【００１１】
本発明においては、雄ねじを雌ねじに螺合させ、回転させて、脚部が所要量昇降した時点で回転を止めることで、脚部の被支持体からの突出長を無段階に変えた上で脚部を取付部に固定することが出来、容易に、被支持体の高さ及び傾きを微調整することが可能である。
また、操作部を、雄ねじが雌ねじに螺合される側と反対側に押すことで、螺合が解除され、脚部を上下に大きく動かして調整することが出来、押すのを止めることで、雄ねじが雌ねじに螺合されて、脚部が取付部に固定される。
従って、２種類の調整を、被支持体を持ち上げることなく、容易に行うことが出来、被支持体の高さ及び傾きの調整時間を短縮することが出来、操作性が良好である。
【００１２】
本発明に係る高さ調整装置は、前記操作部は、側面を回転させる回転板と、該回転板の中央部に突設された軸部と、該軸部に設けられた歯車とを有し、前記脚部は角柱状であり、前記丸溝の幅方向の両端側の側面が摺動板部として構成され、前記取付部は、内部を前記摺動板部が摺動する摺動孔を有する第１ケースと、前記雄ねじを軸支し、前記摺動孔に対向して配され、前記軸部を支持して前記歯車を含む複数の歯車を内蔵し、前記回転板が配される側と反対側の前記第１ケースの端部に、軸支されている第２ケースとを備えることを特徴とする。
【００１３】
本発明においては、回転板の側面を指で回転させることで、スムースに、脚部を動かすことが出来る。
また、回転板を後方に押すことで、第２ケースが第１ケースに対して回転し、雄ねじの雌ねじへの螺合が容易に解除されて、脚部を取付部に対し大きく上下動させることが出来る。そして、回転板を押すのを止めることで、弾性部材により雄ねじが押し戻されて、確実に雌ねじに螺合され、脚部の取付部への固定が復帰する。
【００１４】
本発明に係る高さ調整装置は、前記弾性部材は、前記第２ケースの前記雄ねじが配される側と反対側に設けられた板ばねであることを特徴とする。
【００１５】
本発明においては、簡単な構成で、雄ねじが雌ねじへ螺合されることによる脚部の取付部への固定、及び固定の解除を確実に行うことが出来る。
【００１６】
本発明に係る高さ調整装置は、前記操作部はレバーを備え、該レバーにはラックが連設され、該レバーの上下動が該ラック及び該ラックに噛合されたピニオンを含む歯車を介して前記雄ねじに伝達され、前記脚部は角柱状であり、前記丸溝の幅方向の両端側の側面が摺動板部として構成され、前記取付部は、内部を前記摺動板部が摺動する摺動孔を有する第１ケースと、前記雄ねじを軸支し、前記摺動孔に対向して配され、前記歯車を内蔵し、前記レバーが配される側と反対側の前記第１ケースの端部に軸支されている第２ケースとを備えることを特徴とする。
【００１７】
本発明においては、操作部に作用させる力が小さくても、スムースに、大きく脚部を動かすことが出来る。
また、操作部を押すことで、第２ケースが第１ケースに対して回転し、雄ねじの雌ねじへの螺合が容易に解除されて、脚部を取付部に対し大きく上下動させることが出来る。そして、操作部を押すのを止めることで、弾性部材により雄ねじが押し戻されて、確実に雌ねじに螺合され、固定が復帰する。
【００１８】
本発明に係る投射型画像表示装置は、本発明の高さ調整装置と、発光体を有する光源装置、該発光体から発せられる光で画像に係る変調光を生成する空間光変調素子、及び該空間光変調素子が生成した変調光を被投影体へ投影する投影レンズを有するケースとを備え、脚部を出没させることにより、前記ケースの高さ及び傾きを調整することを特徴とする。
【００１９】
本発明においては、雄ねじを雌ねじに螺合させ、回転させて、脚部が所要量昇降した時点で回転を止めることで、脚部の投射型画像表示装置からの突出長を無段階に変えた上で脚部を取付部に固定することが出来、容易に投射型画像表示装置の高さ及び傾きを微調整することが可能である。
また、操作部を、雄ねじが雌ねじに螺合される側と反対側に押すことで、螺合が解除され、脚部を上下に大きく動かして投射型画像表示装置の高さ及び傾きを大きく調整することが出来、押すのを止めることで、雄ねじが雌ねじに螺合されて、脚部が取付部に固定される。
従って、２種類の調整を、投射型画像表示装置を持ち上げることなく、容易に行うことが出来、投射型画像表示装置の高さ及び傾きの調整時間を短縮することが出来、操作性が良好である。
【発明の効果】
【００２０】
本発明の高さ調整装置によれば、内面に雌ねじが設けられた丸溝を有する脚部と、雌ねじに螺合される雄ねじを軸支した取付部と、雄ねじを歯車を介して回転させるための操作部と、雄ねじを雌ねじに押し付ける方向に付勢する弾性部材とを備えるので、簡単な構成で、被支持体を持ち上げることなく、被支持体の高さ及び傾きを微調整することが出来、操作部を、雄ねじが雌ねじに螺合される側と反対側に押すことで、螺合が解除され、脚部を上下に大きく動かして調整することが出来、操作性が良好である。
【００２１】
また、本発明の高さ調整装置によれば、操作部が回転板を有し、脚部が、丸溝の幅方向の両端側に摺動板部を有しており、取付部が、内部を摺動板部が摺動する摺動孔を有する第１ケースと、雄ねじを軸支し、摺動孔に対向して配され、回転板が配される側と反対側の前記第１ケースの端部に、回転可能に軸支されている第２ケースとを有するので、回転板を回転させることで、スムースに、脚部を動かすことが出来る。そして、回転板を後方へ押すことで、第２ケースが第１ケースに対して回転し、雄ねじの雌ねじへの螺合が容易に解除されて、脚部を取付部に対し大きく上下動させることが出来、回転板を押すのを止めることで、弾性部材により雄ねじが押し戻されて、確実に雌ねじに螺合され、脚部の取付部への固定が復帰する。
【００２２】
そして、本発明の投射型画像表示装置によれば、内面に雌ねじが設けられた丸溝を有する脚部と、雌ねじに螺合される雄ねじを軸支した取付部と、雄ねじを歯車を介して回転させるための操作部と、雄ねじを雌ねじに押し付ける方向に付勢する弾性部材とを有する高さ調整装置を備えるので、簡単な構成で、持ち上げることなく、高さ及び傾きを微調整することが出来、操作部を、雄ねじが雌ねじに螺合される側と反対側に押すことで、螺合が解除され、脚部を上下に大きく動かして高さ及び傾きを大きく調整することが出来、操作性が良好である。
【発明を実施するための最良の形態】
【００２３】
以下、本発明の実施の形態について図面を参照して詳細に説明する。
実施の形態１．
図１は、本発明の実施の形態１に係る投射型画像表示装置１を示す模式的側面図である。
投射型画像表示装置１は、本体１ａの内部に発光体を有する光源装置、及び該発光体が発する光で画像に係る変調光を生成する空間光変調素子を備える。本体１ａの正面の略中央部にはアジャスタ４が設けられており、このアジャスタ４に隣接して投射レンズ２が設けられている。アジャスタ４は、本体１ａの裏面から出没する脚部５と、脚部５の出没を調整するための操作部８とを備える。本体１ａの背面の両端部の下側には、固定フット３，３が設けられている。
【００２４】
図２はアジャスタ４を示す斜視図、図３はアジャスタ４を示す分解斜視図、図４はアジャスタ４の背面図、図５は図２のＶ−Ｖ線断面図である。
アジャスタ４は、上述した脚部５及び操作部８と、本体１ａに取り付けられる第１ケース６と、操作部８を支持して第１ケース６に内設される第２ケース７と、第１ケース６の背面側開口部を閉塞するカバー部９とを備える。第１ケース６と第２ケース７とで取付部を構成する。
【００２５】
脚部５は、角柱状の柱部５１と、円板状であり、柱部５１を支持する基盤部５２とを備える。柱部５１は、背面に雌ねじ５４が設けられた丸溝５３を有する。丸溝５３の幅方向の両端側の側面に相当する摺動側板部５５，５５は、第１ケース６の後述する摺動孔６２ａの内面を摺動するように構成されており、摺動側板部５５，５５の上端部にはストッパ５６，５６が設けられている。
【００２６】
第１ケース６は、後述する操作部８の軸部８２を案内するための案内孔６１ａ，６１ａが中央部より少し上側に設けられた側板部６１，６１と、前方に突出し、上下方向に延びる角型の摺動孔６２ａが設けられた摺動部６２と、本体１ａに取り付けるためのビス穴６３ａ，６３ａが設けられた底板部６３と、カバー部９のストッパ９３を係止するための係止孔６４ａが設けられた天板部６４とを備える。
摺動部６２の前板部６２ｂの下部は、漸次的に幅広となっている。摺動部６２の上板部６２ｃの端部には、係止孔６２ｄが設けられており、底板部６３には、係止孔６２ｄに対向させて、係止孔６３ｂが設けられている。
脚部５の柱部５１は、摺動孔６２ａに嵌められている。
【００２７】
操作部８は、円板状の回転板８１と、回転板８１の中央部に突設された軸部８２と、軸部８２の中央部より少し回転板８１側に設けられたギア８３と、ギア８３と噛合するギア８４と、ギア８４と同軸に設けられたギア８５と、ギア８５と噛合するギア８６とを備える。
雄ねじ１０はギア８６と同軸に設けられており、雌ねじ５４に螺合される。
【００２８】
第２ケース７は、前記軸部８２の両端部を嵌める嵌合孔７１ａ，７１ａが設けられた側板部７１，７１と、雄ねじ１０を露出させるための開口窓７２ａが設けられた前板部７２と、前記ギア８５を支持するための支持板７３と、側板部７１，７１を後方上側で橋絡する背板部７４とを備える。
前板部７２の上側の中央部には、前記ギア８６を回転可能に軸支する軸支部７２ｂが設けられ、前板部７２の下側の中央部には、前記雄ねじ１０を回転可能に軸支する軸支部７２ｃが設けられている。
操作部８は、軸部８２により嵌合孔７１ａ，７１ａを橋絡し、ギア８５の下端部が支持板７３により回転可能に支持され、ギア８６の上端部（軸）が軸支部７２ｂにより軸支された状態で、第２ケース７に収容されている。雄ねじ１０の下端部（軸）は軸支部７２ｃにより軸支されている。
【００２９】
前板部７２の回転板８１が配されている側と反対側の端部の上側には、小軸を円板に連設してなる突起部７２ｄが設けられ、前記端部の下側には、小軸を円板に垂設してなる突起部７２ｅが設けられている。
第２ケース７は、雄ねじ１０を雌ねじ５４に対向させ、突起部７２ｄを係止孔６２ｄに軸支させ、突起部７２ｅを係止孔６３ｂに軸支させた状態で、第１ケース６に収容されている。
【００３０】
カバー部９の板状の本体９１の上下には、第１ケース６の係止孔６４ａに係止されるストッパ９３と、底板部６３の係止孔（図示せず）に係止されるストッパ９３とが設けられている。本体１９の上部は、一短辺を残し、直方体状に切り込まれて、板ばね部９２が形成されている。板ばね部９２の端部には、突起部９２ａが設けられている。
【００３１】
カバー部９は、第２ケース７を収容した第１ケース６の開口した背部に、ストッパ９３，９３を係止孔６４ａ等に係止した状態で取り付けられる。このとき、板ばね部９２の突起部９２ａが背板部７４を押すので、雄ねじ１０は、脚部５の雌ねじ５４に螺合される（図５参照）。
そして、第１ケース６の底板部６３が、投射型画像表示装置１の本体１ａに、ビス穴６３ａ，６３ａにビスを通されて固定される。
【００３２】
本実施の形態においては、回転板８１を上下に回転させると、これと同軸であるギア８３がともに回転し、ギア８３が回転することで、これに噛合されたギア８４が回転する。そして、ギア８４と同軸であるギア８５がともに回転し、ギア８５に噛合されたギア８６が回転し、これと同軸である雄ねじ１０がともに回転する（図３及び図５参照）。
雄ねじ１０の回転に伴い、これに螺合された柱部５１が、摺動側板部５５，５５を摺動孔６２ａに沿って摺動する状態で上下する。
従って、回転板８１を回転させることで、脚部５をスムースに動かすことが出来る。そして、脚部５の本体１ａからの突出長を無段階に変えた上で、回転板８１の回転を止めることで脚部５が第１ケース６に固定され、容易に本体１ａの高さ及び傾きを微調整することが可能である。
【００３３】
図６は、雄ねじ１０が雌ねじ５４に螺合された状態を示す平面図、図７は、雄ねじ１０の雌ねじ５４への螺合が解除された状態を示す平面図である。
図６においては、板ばね部９２の突起部９２ａにより第２ケース７が押され、雄ねじ１０が雌ねじ５４に押し付けられて螺合している。
図７においては、回転板８１を後方へ押すことで、第２ケース７が第１ケース６の係止孔を中心に回転し、突起部９２ａが後方へ押されて、雄ねじ１０の雌ねじ５４への螺合が解除される。このとき、脚部５を第１ケース６に対して大きく上下動させることが出来る。そして、回転板８１を押すのを止めることで、板ばね部９２により雄ねじ１０が押し戻されて、確実に雌ねじ５４に螺合され、脚部５の第１ケース６への固定が復帰する。
【００３４】
従って、本実施の形態においては、脚部５の本体１ａからの突出量の微調整と大きな調整とを、本体１ａ持ち上げることなく、容易に行うことが出来、本体１ａの高さ及び傾きの調整時間を短縮することが出来、操作性が良好である。
【００３５】
実施の形態２．
図８は、本発明の実施の形態２に係るアジャスタ１４を示す斜視図、図９は、アジャスタ１４を示す分解斜視図、図１０は、操作部を示す斜視図、図１１は、アジャスタ１４を後方から見た一部切り欠き斜視図、図１２は、図１１のXII−XII線端面図である。アジャスタ１４は、図１と同一の構成を有する投射型画像表示装置１の本体１ａに取り付けられる。
【００３６】
アジャスタ１４は、脚部１５と、レバー１８を含む操作部と、本体１ａに取り付けられる第１ケース１６と、操作部を支持して第１ケース１６に収容される第２ケース１７とを備える。
【００３７】
脚部１５は、柱部１５ａと、円板状であり、柱部１５ａを支持する基盤部１５ｂと、柱部１５ａの背面に設けられた雌ねじ１５ｃとを備える。
【００３８】
第１ケース１６は、角筒状の本体１６ａと、本体１６ａの正面側に設けられた摺動孔１６ｂと、本体１６ａの一側面に設けられた開口部１６ｃと、該一側面に突出させて設けられ、第２ケース１７の端部を覆う被覆部１６ｄと、本体１６ａの天板に設けられたラック突出孔１６ｅとを備える。被覆部１６ｄの正面側端部には、上下に係止孔１６ｆ，１６ｆが設けられている。
【００３９】
操作部は、レバー１８と、レバー１８の端部に連設されたラック１９と、ラック１９に噛合されたピニオン２３と、ピニオン２３と同軸に設けられ、ともに回転するギア２０と、ギア２０に噛合されたギア２１とを備える。
ギア２１の下側には、同軸に雄ねじ２２が設けられている。
【００４０】
第２ケース１７の角筒状の本体１７ａの前板部の下部には、雄ねじ２２を露出させるための露出窓１７ｂが設けられ、本体１７ａの側板部の上部には、開口窓１７ｃが設けられている。露出窓１７ｂの中央部の上下には、軸支部１７ｅ，１７ｅが突設されている。
第２ケース１７には、レバー１８を本体１７ａの側方に突出させ、ラック１９を上方に突出させた状態で、操作部が収容されている。ギア２１の上端部（軸）、及び雄ねじ２２の下端部（軸）は、軸支部１７ｅ，１７ｅに軸支されている。
第２ケース１７の前板部のレバー１８が配されている側と反対側の端部の上側及び下側には、小軸を円板に連設してなる突起部１７ｄ，１７ｄが設けられている。
【００４１】
第２ケース１７は、端部が被覆部１６ｄに覆われ、突起部１７ｄ，１７ｄが係止孔１６ｆ，１６ｆに軸支された状態で第１ケース１６に収容されている。そして、第１ケース１６の摺動孔１６ｂに脚部１５の柱部１５ａが嵌められ、第１ケース１６及び第２ケース１７の背板間に設けられたばね（図示せず）により第２ケース１７が押されて雄ねじ２２が雌ねじ１５ｃに螺合された状態で、第１ケース１６が投射型画像表示装置１の本体１ａに取り付けられる。
【００４２】
本実施の形態においては、レバー１８を上下に動かすと、これに連動してラック１９が動き、ラック２０に噛合されたピニオン２３が回転し、ピニオン２３と同軸であるギア２０が回転する。そして、ギア２０に噛合されたギア２１が回転し、これと同軸である雄ねじ２２が回転する。
雄ねじ２２の回転に伴い、これに螺合された柱部１５ａが、側板部が摺動孔１６ｂに沿って摺動する状態で上下する。
従って、レバー１８を上下に動かすことで、脚部１５をスムースに動かすことが出来る。そして、脚部５の本体１ａからの突出長を無段階に変え、レバー１８の移動を止めることで脚部１５が第１ケース１６に固定され、容易に本体１ａの高さ及び傾きを微調整することが可能である。
【００４３】
図１３は、雄ねじ２２が雌ねじ１５ｃに螺合された状態を示す平面図、図１４は、雄ねじ２２の雌ねじ１５ｃへの螺合が解除された状態を示す平面図である。図１３及び図１４中、第１ケース１６は省略している。
図１３においては、ばね（図示せず）により第２ケース１７が押され、雄ねじ２２が雌ねじ１５ｃに押し付けられて螺合している。
図１４においては、レバー１８を後方へ押すことで、ばねが後方へ押されて第２ケース１７が第１ケース１６の係止孔内を動き、雄ねじ２２の雌ねじ１５ｃへの螺合が解除される。このとき、脚部１５を第１ケース１６に対して大きく上下動させて、本体１ａの高さ及び傾きを大きく調整することが出来る。そして、レバー１８を押すのを止めることで、ばねにより雄ねじ２２が押し戻されて、確実に雌ねじ１５ｃに螺合され、脚部１５の第１ケース１６への固定が復帰する。
【００４４】
従って、本実施の形態においては、脚部１５の本体１ａからの突出量の微調整と大きな調整とを、本体１ａ持ち上げることなく、容易に行うことが出来、本体１ａの高さ及び傾きの調整時間を短縮することが出来、操作性が良好である。
【００４５】
本発明の高さ調整装置（アジャスタ）及び投射型画像表示装置は、前記実施の形態１及び２において説明したものに限定されず、本発明の要旨を逸脱しない範囲において種々変更を加えることが可能である。
例えば、実施の形態１において、雄ねじ１０を雌ねじ５４に押し付ける弾性部材として、板ばね部９２を適用した場合につき説明しているがこれに限定されるものではない。
また、本発明の高さ調整装置は、投射型画像表示装置に適用する場合に限定されず、他の電子機器にも適用され得る。
そして、本発明の高さ調整装置は、電子機器に複数用いることにしてもよい。
【図面の簡単な説明】
【００４６】
【図１】本発明の実施の形態１に係る投射型画像表示装置を示す模式的側面図である。
【図２】本発明の実施の形態１に係るアジャスタを示す斜視図である。
【図３】アジャスタを示す分解斜視図である。
【図４】アジャスタを示す背面図である。
【図５】図２のＶ−Ｖ線断面図である。
【図６】雄ねじが雌ねじに螺合された状態を示す平面図である。
【図７】雄ねじの雌ねじへの螺合が解除された状態を示す平面図である。
【図８】本発明の実施の形態２に係るアジャスタを示す斜視図である。
【図９】アジャスタを示す分解斜視図である。
【図１０】操作部を示す斜視図である。
【図１１】アジャスタを後方から見た一部切り欠き斜視図である。
【図１２】図１１のXII−XII線端面図である。
【図１３】雄ねじが雌ねじに螺合された状態を示す平面図である。
【図１４】雄ねじの雌ねじへの螺合が解除された状態を示す平面図である。
【符号の説明】
【００４７】
１  投射型画像表示装置
１ａ  本体
４、１４  アジャスタ
５、１５  脚部
５１、１５ａ  柱部
５２、１５ｂ  基盤部
５３  丸溝
５４、１５ｃ  雌ねじ
５５  側板部
５６  ストッパ
６  第１ケース
６１  側板部
６１ａ  案内孔
６２  摺動部
６２ａ  摺動孔
６２ｄ  係止孔
６３  底板部
６３ｂ  係止孔
７  第２ケース
７１  側板部
７１ａ  嵌合孔
７２  前板部
７２ｄ  突起部
７２ｅ  突起部
８  操作部
８１  回転板
８２  軸部
８３  ギア
８４  ギア
８５  ギア
８６  ギア
１０、２２  雄ねじ
９  カバー部
９１  本体
９２  板ばね部
９２ａ  突起部
１６  第１ケース
１６ａ  本体
１６ｂ  摺動孔
１６ｃ  開口部
１６ｄ  被覆部
１６ｆ  係止孔
１７  第２ケース
１７ａ  本体
１７ｄ  突起部
１８  レバー
１９  ラック
２０  ギア
２１  ギア
２３  ピニオン
【図１】
2007315435.tif 000003
【図２】
2007315435.tif 000004
【図３】
2007315435.tif 000005
【図４】
2007315435.tif 000006
【図５】
2007315435.tif 000007
【図６】
2007315435.tif 000008
【図７】
2007315435.tif 000009
【図８】
2007315435.tif 000010
【図９】
2007315435.tif 000011
【図１０】
2007315435.tif 000012
【図１１】
2007315435.tif 000013
【図１２】
2007315435.tif 000014
【図１３】
2007315435.tif 000015
【図１４】
2007315435.tif 000016